(57)【要約】【課題】回路規模の増大を抑制しつつ、より少ないケーブルを介してベースバンド信号を処理するためのユニットとＲＦ帯の信号を処理するためのユニットとを互いに接続することができる信号出力装置を提供する。【解決手段】信号生成部１５が、第１のデータに応じて第１の信号を生成し、第２のデータに応じて第１の信号とは周波数が異なる第２の信号を生成する。出力部１６が、第１の信号、第２の信号、および第２の信号の周波数を信号送信装置において調整するための第３の信号を信号送信装置に出力する。パイロット信号生成部１４が、第３の信号を生成する。第１の信号と第２の信号とは互いに同期している。出力部１６が、第１の信号、第２の信号および第３の信号を互いに多重する。パイロット信号生成部１４は、第１の信号、および第２の信号と互いに同期するように、第３の信号を生成する。【選択図】      図１２
2019110499.tif 000002
【特許請求の範囲】
【請求項１】
第１のデータに応じて第１の信号を生成し、第２のデータに応じて前記第１の信号とは周波数が異なる第２の信号を生成する信号生成手段と、
前記第１の信号、前記第２の信号、および前記第２の信号の周波数を信号送信装置において調整するための第３の信号を前記信号送信装置に出力する出力手段と、
前記第３の信号を生成するパイロット信号生成手段とを備え、
前記第１の信号と前記第２の信号とは互いに同期し、
前記出力手段は、前記第１の信号、前記第２の信号および前記第３の信号を互いに多重し、
前記パイロット信号生成手段は、前記第１の信号、および前記第２の信号と互いに同期するように、前記第３の信号を生成する
ことを特徴とする信号出力装置。
【請求項２】
前記パイロット信号生成手段は、
前記第２の信号の周波数の値と前記第３の信号の周波数の値との和が前記第１の信号の周波数の値になるように、前記第３の信号を生成する
請求項１に記載の信号出力装置。
【請求項３】
前記信号生成手段は、
前記第１のデータに基づいて前記第１の信号を生成する第１の信号生成手段と、
前記第２のデータに基づいて前記第２の信号を生成する第２の信号生成手段とを含む
請求項２に記載の信号出力装置。
【請求項４】
前記出力手段は、前記信号送信装置に、一の経路を介して前記第１の信号、前記第２の信号および前記第３の信号を送信する
請求項１から請求項３のうちいずれか１項に記載の信号出力装置。
【請求項５】
請求項１から請求項４のうちいずれかに記載の信号出力装置と、
前記信号送信装置とを含む
ことを特徴とする信号送信システム。
【請求項６】
請求項５に記載の信号送信システムを用いて、前記第１のデータおよび前記第２のデータに応じた電磁波を送信し、
受信した前記電磁波に基づいて、テレビジョン受像機が前記第１のデータおよび前記第２のデータに応じたデータをデコード可能なように生成された電磁波を送出する
ことを特徴とする放送サービス提供方法。
【請求項７】
第１のデータに応じて第１の信号を生成し、第２のデータに応じて前記第１の信号とは周波数が異なる第２の信号を生成する信号生成ステップと、
前記第１の信号、前記第２の信号、および前記第２の信号の周波数を信号送信装置において調整するための第３の信号を前記信号送信装置に出力する出力ステップと、
前記第３の信号を生成するパイロット信号生成ステップとを含み、
前記第１の信号と前記第２の信号とは互いに同期し、
前記出力ステップで、前記第１の信号、前記第２の信号および前記第３の信号を互いに多重し、
前記パイロット信号生成ステップで、前記第１の信号、および前記第２の信号と互いに同期するように、前記第３の信号を生成する
ことを特徴とする信号出力方法。
【請求項８】
コンピュータに、
第１のデータに応じて第１の信号を生成し、第２のデータに応じて前記第１の信号とは周波数が異なる第２の信号を生成する信号生成処理と、
前記第１の信号、前記第２の信号、および前記第２の信号の周波数を信号送信装置において調整するための第３の信号を前記信号送信装置に出力する出力処理と、
前記第３の信号を生成するパイロット信号生成処理とを実行させ、
前記第１の信号と前記第２の信号とは互いに同期し、
前記出力処理で、前記第１の信号、前記第２の信号および前記第３の信号を互いに多重させ、
前記パイロット信号生成処理で、前記第１の信号、および前記第２の信号と互いに同期するように、前記第３の信号を生成させる
ための信号出力用プログラム。
【発明の詳細な説明】
【技術分野】
【０００１】
本発明は、信号出力装置、信号送信システム、放送サービス提供方法、信号出力方法、および信号出力用プログラムに関する。
【背景技術】
【０００２】
放送局外から放送局に、映像や音声等の放送用素材を伝送するＦＰＵ（Ｆｉｅｌｄ  Ｐｉｃｋｕｐ  Ｕｎｉｔ（Ｍｉｃｒｏｗａｖｅ  Ｌｉｎｋともいう））送信機がある。また、放送局外から送信された放送用素材を受信するＦＰＵ受信機がある。
【０００３】
特許文献１には、ＭＩＭＯ（Ｍｕｌｔｉ−Ｉｎｐｕｔ  ａｎｄ  Ｍｕｌｔｉ−Ｏｕｔｐｕｔ）−ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式デジタルＦＰＵシステムの映像伝送装置の例が示されている。特許文献１に記載されている例では、映像伝送装置は、ベースバンド信号を処理するためのユニットである送信制御部とＲＦ（Ｒａｄｉｏ  Ｆｒｅｑｕｅｎｃｙ）帯の信号を処理するためのユニットである送信高周波部とによって構成されている。そして、送信制御部と送信高周波部とは１本のＩＦ（Ｉｎｔｅｒｍｅｄｉａｔｅ  Ｆｒｅｑｕｅｎｃｙ）ケーブルで互いに接続されている。
【０００４】
そして、特許文献１に記載されている映像伝送装置では、送信制御部が、生成した互いの周波数が同じで同期している２つの信号の一方を３０ＭＨｚ高い１９０ＭＨｚに周波数変換し、他方を３０ＭＨｚ低い１３０ＭＨｚに周波数変換している。そして、送信制御部は、１９０ＭＨｚの信号と１３０ＭＨｚの信号とを１本のＩＦケーブルを介して送信高周波部に送信している。
【先行技術文献】
【特許文献】
【０００５】
【特許文献１】特開２０１７−０５０６１４号公報
【発明の概要】
【発明が解決しようとする課題】
【０００６】
ＭＩＭＯでは、複数（例えば２つ）の系統のアンテナからそれぞれ電波が放射されるのであるが、それら電波が互いに同期していないと互いに干渉してしまうという問題がある。
【０００７】
そこで、送信制御部と送信高周波部とを複数のＩＦケーブルで互いに接続して、当該送信制御部で生成した互いに同期した信号をそれぞれに対応するＩＦケーブルを介して送信高周波部に送信する方法が考えられる。しかし、そのような方法では、送信制御部と送信高周波部とが複数のＩＦケーブルによって接続されることになり、映像伝送装置の設置の自由度が低下してしまうという問題がある。
【０００８】
また、特許文献１に記載されている方法では、複数の信号に周波数変換処理を施しているので、回路規模が大きくなってしまうという問題がある。
【０００９】
そこで、本発明は、回路規模の増大を抑制しつつ、より少ないケーブルを介してベースバンド信号を処理するためのユニットとＲＦ帯の信号を処理するためのユニットとを互いに接続することができる信号出力装置、信号送信システム、放送サービス提供方法、信号出力方法、および信号出力用プログラムを提供することを目的とする。
【課題を解決するための手段】
【００１０】
本発明による信号出力装置は、第１のデータに応じて第１の信号を生成し、第２のデータに応じて第１の信号とは周波数が異なる第２の信号を生成する信号生成手段と、第１の信号、第２の信号、および第２の信号の周波数を信号送信装置において調整するための第３の信号を信号送信装置に出力する出力手段と、第３の信号を生成するパイロット信号生成手段とを備え、第１の信号と第２の信号とは互いに同期し、出力手段は、第１の信号、第２の信号および第３の信号を互いに多重し、パイロット信号生成手段は、第１の信号、および第２の信号と互いに同期するように、第３の信号を生成することを特徴とする。
【００１１】
本発明による信号送信システムは、いずれかの態様の信号出力装置と、信号送信装置とを含むことを特徴とする。
【００１２】
本発明による放送サービス提供方法は、いずれかの態様の信号送信システムを用いて、前記第１のデータおよび前記第２のデータに応じた電磁波を送信し、受信した前記電磁波に基づいて、テレビジョン受像機が前記第１のデータおよび前記第２のデータに応じたデータをデコード可能なように生成された電磁波を送出することを特徴とする。
【００１３】
本発明による信号出力方法は、第１のデータに応じて第１の信号を生成し、第２のデータに応じて第１の信号とは周波数が異なる第２の信号を生成する信号生成ステップと、第１の信号、第２の信号、および第２の信号の周波数を信号送信装置において調整するための第３の信号を信号送信装置に出力する出力ステップと、第３の信号を生成するパイロット信号生成ステップとを含み、第１の信号と第２の信号とは互いに同期し、出力ステップで、第１の信号、第２の信号および第３の信号を互いに多重し、パイロット信号生成ステップで、第１の信号、および第２の信号と互いに同期するように、第３の信号を生成することを特徴とする。
【００１４】
本発明による信号出力用プログラムは、コンピュータに、第１のデータに応じて第１の信号を生成し、第２のデータに応じて第１の信号とは周波数が異なる第２の信号を生成する信号生成処理と、第１の信号、第２の信号、および第２の信号の周波数を信号送信装置において調整するための第３の信号を信号送信装置に出力する出力処理と、第３の信号を生成するパイロット信号生成処理とを実行させ、第１の信号と第２の信号とは互いに同期し、出力処理で、第１の信号、第２の信号および第３の信号を互いに多重させ、パイロット信号生成処理で、第１の信号、および第２の信号と互いに同期するように、第３の信号を生成させることを特徴とする。
【発明の効果】
【００１５】
本発明によれば、回路規模の増大を抑制しつつ、より少ないケーブルを介してベースバンド信号を処理するためのユニットとＲＦ帯の信号を処理するためのユニットとを互いに接続することができる。
【図面の簡単な説明】
【００１６】
【図１】第１の実施形態の送信システムの構成例を示すブロック図である。
【図２】第１の実施形態における送信制御部の構成例を示すブロック図である。
【図３】第１の実施形態における送信高周波部の構成例を示すブロック図である。
【図４】第１の実施形態における送信制御部の動作を示すフローチャートである。
【図５】第１の実施形態における送信高周波部の動作を示すフローチャートである。
【図６】第２の実施形態の送信システムの構成例を示すブロック図である。
【図７】第２の実施形態における送信制御部の構成例を示すブロック図である。
【図８】第３の実施形態の送信システムの構成例を示すブロック図である。
【図９】第３の実施形態における送信高周波部の構成例を示すブロック図である。
【図１０】第４の実施形態の送信システムの構成例を示すブロック図である。
【図１１】第４の実施形態における送信高周波部の構成例を示すブロック図である。
【図１２】第５の実施形態の信号出力装置の構成例を示すブロック図である。
【発明を実施するための形態】
【００１７】
実施形態１．
本発明の第１の実施形態の送信システムについて、図面を参照して説明する。図１は、本発明の第１の実施形態の送信システムの構成例を示すブロック図である。
【００１８】
図１に示すように、第１の実施形態の送信システムは、送信制御部１００と送信高周波部２００とを含む。そして、送信制御部１００と送信高周波部２００とは、ケーブル３００を介して互いに接続されている。ケーブル３００は、例えば、同軸ケーブルであり、例えば、１本である。なお、送信システムは、例えば、ＦＰＵ送信機である。
【００１９】
送信高周波部２００には、例えば、ＭＩＭＯに対応したアンテナ３１０およびアンテナ３２０がそれぞれ接続されている。そして、送信高周波部２００がアンテナ３１０に入力した信号およびアンテナ３２０に入力した信号は、それぞれ電波に変換されてそれぞれ放射される。放射された電波は、受信側のアンテナによって受信されて信号に変換され、受信機（図示せず）に入力される。なお、受信機は、例えば、ＦＰＵ受信機である。
【００２０】
図２は、送信制御部１００の構成例を示すブロック図である。図２に示すように、送信制御部１００は、個別データ生成部１１０、第１のＩＦＦＴ（Ｉｎｖｅｒｓｅ  Ｆａｓｔ  Ｆｏｕｒｉｅｒ  Ｔｒａｎｓｆｏｒｍ）処理部１２０ａ、第２のＩＦＦＴ処理部１２０ｂ、合成部（合成手段）１３０、パイロットデータ生成部１４０、第１の直交変調部（第１の信号生成手段）１５０ａ、第２の直交変調部（第２の信号生成手段）１５０ｂ、および多重部１６０を含む。
【００２１】
なお、送信制御部１００の各部には、必要に応じて、互いに同期するクロック信号がそれぞれ入力される。そして、各部は、入力されたクロック信号に基づくタイミングで処理を実行する。なお、各部に入力されるクロック信号は、互いに同期していれば、周波数が同じであってもよいし、互いに異なっていてもよい。
【００２２】
また、個別データ生成部１１０、第１のＩＦＦＴ処理部１２０ａ、第２のＩＦＦＴ処理部１２０ｂ、パイロットデータ生成部１４０、第１の直交変調部１５０ａ、および第２の直交変調部１５０ｂは、例えば、プログラム制御に従って処理を実行するＣＰＵ（Ｃｅｎｔｒａｌ  Ｐｒｏｃｅｓｓｉｎｇ  Ｕｎｉｔ）や複数の回路によって実現される。合成部１３０、および多重部１６０は、例えば、複数の回路によって実現される。
【００２３】
個別データ生成部１１０には、受信側に伝送するべきデータが入力される。個別データ生成部１１０は、入力されたデータに基づいて、第１のＩＦＦＴ処理部１２０ａに入力するデータと、第２のＩＦＦＴ処理部１２０ｂに入力するデータとを生成する。具体的には、個別データ生成部１１０は、例えば、入力された１系統のシリアルデータに基づいて２系統のシリアルデータからなるパラレルデータを生成する。なお、個別データ生成部１１０は、入力された１系統のシリアルデータに基づいて２系統以上の複数のパラレルデータを生成するように構成されていてもよい。そして、個別データ生成部１１０は、生成したそれぞれのデータのうち、一方の系統のデータを第１のＩＦＦＴ処理部１２０ａに入力し、他方の系統のデータを第２のＩＦＦＴ処理部１２０ｂに入力する。
【００２４】
なお、第１のＩＦＦＴ処理部１２０ａに入力されるデータは、後に送信高周波部２００がアンテナ３１０に入力する信号に応じたデータである。また、第２のＩＦＦＴ処理部１２０ｂに入力されるデータは、後に送信高周波部２００がアンテナ３２０に入力する信号に応じたデータである。
【００２５】
また、第１のＩＦＦＴ処理部１２０ａに入力するデータおよび第２のＩＦＦＴ処理部１２０ｂに入力するデータは、周波数領域のデータ（信号を周波数成分のそれぞれの大きさによって示すデータ）である。
【００２６】
第１のＩＦＦＴ処理部１２０ａは、入力されたデータに逆フーリエ変換の処理を施し、時間領域のデータ（信号を振幅の時間的変化によって示すデータ）に変換する。なお、逆フーリエ変換の処理は、例えば、ＩＦＦＴである。
【００２７】
そして、第１のＩＦＦＴ処理部１２０ａは、第１の直交変調部１５０ａに、変換後のデータを入力する。
【００２８】
第１の直交変調部１５０ａは、入力されたデータに直交変調の処理を施し、第１の周波数の搬送波が変調された信号を生成する。具体的には、第１の直交変調部１５０ａは、例えば、１３０ＭＨｚの搬送波が、入力されたデータに基づいて変調された信号を生成する。したがって、第１の直交変調部１５０ａは、例えば、ベースバンド信号である入力されたデータの周波数を１３０ＭＨｚに変換する機能と、当該データに応じたアナログ信号に変換する機能とを有する。
【００２９】
そして、第１の直交変調部１５０ａは、多重部１６０に変調後の信号（第１の信号ともいう）を入力する。
【００３０】
第２のＩＦＦＴ処理部１２０ｂは、入力されたデータに逆フーリエ変換の処理を施し、時間領域のデータに変換する。なお、逆フーリエ変換の処理は、例えば、ＩＦＦＴである。
【００３１】
そして、第２のＩＦＦＴ処理部１２０ｂは、合成部１３０に、変換後のデータを入力する。
【００３２】
合成部１３０には、パイロットデータ生成部１４０が接続されている。パイロットデータ生成部１４０は、所定の周波数に応じたデータを生成する。そして、パイロットデータ生成部１４０は、合成部１３０に、生成したデータを入力する。
【００３３】
なお、パイロットデータ生成部１４０は、例えば、２６ＭＨｚ等の所定の周波数を示すデジタルデータを生成する。また、パイロットデータ生成部１４０には、前述したように、第１の直交変調部１５０ａ、および第２の直交変調部１５０ｂと互いに同期したクロック信号が入力されている。そして、パイロットデータ生成部１４０には、当該信号に基づいて、後述する第３の信号が、後述する第１の信号、および第２の信号と互いに同期するように、第３のデータを生成する。
【００３４】
合成部１３０は、第２のＩＦＦＴ処理部１２０ｂが入力したデータと、パイロットデータ生成部１４０が生成したデータとを互いに多重する。そして、合成部１３０は、第２のＩＦＦＴ処理部１２０ｂが入力したデータと、パイロットデータ生成部１４０が生成したデータとを互いに多重した、多重化後のデータを第２の直交変調部１５０ｂに入力する。なお、合成部１３０では、例えば、加算処理が行われる。
【００３５】
第２の直交変調部１５０ｂは、合成部１３０が入力したデータに基づいて、例えば、第２の周波数の搬送波が変調された信号と、第３の周波数の搬送波が変調された信号とを生成する。具体的には、第２の直交変調部１５０ｂは、例えば、合成部１３０が入力したデータにおいて多重されているベースバンド信号である第２のＩＦＦＴ処理部１２０ｂが合成部１３０に入力したデータに基づいて、５２ＭＨｚの搬送波が変調された信号（第２の信号ともいう）を生成する。また、第２の直交変調部１５０ｂは、例えば、合成部１３０が入力したデータにおいて多重されているパイロットデータ生成部１４０が生成したデータに基づく周波数が７８ＭＨｚの信号（第３の信号ともいう）を生成する。そして、第２の直交変調部１５０ｂは、多重部１６０に、生成した各信号を入力する。
【００３６】
したがって、第２の直交変調部１５０ｂは、第２のＩＦＦＴ処理部１２０ｂが入力したベースバンド信号を５２ＭＨｚアップコンバートして５２ＭＨｚの信号に変換し、パイロットデータ生成部１４０が生成した２６ＭＨｚの信号を５２ＭＨｚアップコンバートして７８ＭＨｚの信号に変換することになる。
【００３７】
よって、第２の直交変調部１５０ｂは、例えば、ベースバンド信号の周波数を５２ＭＨｚにアップコンバートする機能と、当該データをアナログ信号に変換する機能とを有する。
【００３８】
多重部１６０は、第１の直交変調部１５０ａが入力した周波数が１３０ＭＨｚの第１の信号と、第２の直交変調部１５０ｂが入力した周波数が５２ＭＨｚの第２の信号および周波数が７８ＭＨｚの第３の信号とを互いに多重する。
【００３９】
そして、多重部１６０は、第１の信号、第２の信号、および第３の信号が互いに多重された信号をケーブル３００を介して送信高周波部２００に送信する。
【００４０】
なお、前述した第１の信号の周波数、第２の信号の周波数、および第３の信号の周波数はいずれも例であり、第２の信号の周波数の値と第３の信号の周波数の値との和が第１の信号の周波数の値と等しくなる関係が成立すれば、それらの周波数は任意に設定されてよい。
【００４１】
図３は、送信高周波部２００の構成例を示すブロック図である。図３に示すように、送信高周波部２００は、第１のフィルタ２１０ａ、遅延処理部２２０、供給信号発生部２３０、第１のアップコンバータ２４０、第１の増幅部２５０、第２のフィルタ２１０ｂ、乗算部２６０、第４のフィルタ２１０ｄ、第２のアップコンバータ２７０、第２の増幅部２８０、および第３のフィルタ２１０ｃを含む。
【００４２】
なお、第１のフィルタ２１０ａ、遅延処理部２２０、第２のフィルタ２１０ｂ、乗算部２６０、第４のフィルタ２１０ｄ、および第３のフィルタ２１０ｃは、例えば、複数の回路によって実現される。供給信号発生部２３０、第１のアップコンバータ２４０、第１の増幅部２５０、乗算部２６０、第２のアップコンバータ２７０、および第２の増幅部２８０は、例えば、複数の回路によって実現される。
【００４３】
第１のフィルタ２１０ａ、第２のフィルタ２１０ｂ、および第３のフィルタ２１０ｃには、送信制御部１００（より具体的には、多重部１６０）が送信した信号がケーブル３００を介して入力される。
【００４４】
第１のフィルタ２１０ａは、第１の信号のみが通過するように構成されている。具体的には、第１のフィルタ２１０ａは、例えば、第１の信号の周波数帯の信号が通過するように構成されている帯域通過フィルタである。
【００４５】
第２のフィルタ２１０ｂは、第２の信号のみが通過するように構成されている。具体的には、第２のフィルタ２１０ｂは、例えば、第２の信号の周波数帯の信号が通過するように構成されている帯域通過フィルタである。
【００４６】
第３のフィルタ２１０ｃは、第３の信号のみが通過するように構成されている。具体的には、第３のフィルタ２１０ｃは、例えば、第３の信号の周波数帯の信号が通過するように構成されている帯域通過フィルタである。
【００４７】
なお、第１のフィルタ２１０ａ、第２のフィルタ２１０ｂ、第３のフィルタ２１０ｃ、および後述する他のフィルタは、それぞれアクティブフィルタであってもよいし、パッシブフィルタであってもよい。
【００４８】
乗算部２６０には、第２のフィルタ２１０ｂを通過した信号、すなわち第２の信号と、第３のフィルタ２１０ｃを通過した信号、すなわち第３の信号とが入力される。そして、乗算部２６０は、第２の信号と第３の信号とを互いに乗算した結果の第４の信号と第５の信号とを生成する。
【００４９】
なお、第４の信号の周波数ｆ４の値は、第２の信号の周波数ｆ２と第３の信号の周波数ｆ３との和の値である。本例では、第２の信号の周波数ｆ２が５２ＭＨｚであり、第３の信号の周波数ｆ３は７８ＭＨｚであるので、第４の信号の周波数ｆ４は、５２＋７８＝１３０ＭＨｚである。したがって、第４の信号の周波数ｆ４は、第１の信号の周波数ｆ１と同じ周波数になっているはずである。
【００５０】
また、第５の信号の周波数ｆ５の値は、第２の信号の周波数ｆ２と第３の信号の周波数ｆ３との差の絶対値である。本例では、第２の信号の周波数ｆ２が５２ＭＨｚであり、第３の信号の周波数ｆ３は７８ＭＨｚであるので、第５の信号の周波数ｆ５は、｜５２−７８｜＝２６ＭＨｚである。
【００５１】
第４のフィルタ２１０ｄは、第４の信号のみが通過するように構成されている。具体的には、第４のフィルタ２１０ｄは、例えば、第４の信号の周波数帯の信号が通過するように構成されている帯域通過フィルタである。そして、第４のフィルタ２１０ｄに、第４の信号と第５の信号とが入力された場合に、第４の信号のみが通過する。
【００５２】
第４のフィルタ２１０ｄを通過した第４の信号は、第２のアップコンバータ２７０に入力される。
【００５３】
供給信号発生部２３０は、所定の周波数の信号である供給信号を生成する。そして、供給信号発生部２３０は、第１のアップコンバータ２４０および第２のアップコンバータ２７０に、生成した供給信号を入力する。なお、供給信号の周波数である所定の周波数の値は、例えば、第１の信号の周波数ｆ１および第４の信号の周波数ｆ４の値と、アンテナ３１０，３２０に入力されるＲＦ帯の信号の所定の周波数の値との差異の値である。
【００５４】
第２のアップコンバータ２７０は、入力された供給信号を用いて、第４の信号の周波数をより高いＲＦ（Ｒａｄｉｏ  Ｆｒｅｑｕｅｎｃｙ）帯の周波数に変換する。そして、第２のアップコンバータ２７０は、第２の増幅部２８０に、変換後の第４の信号を入力する。
【００５５】
第２の増幅部２８０は、入力された第４の信号を所定の増幅率で増幅させて、アンテナ３２０に入力する。
【００５６】
アンテナ３２０に入力された第４の信号は電磁波に変換されて放射される。
【００５７】
遅延処理部２２０には、第１のフィルタ２１０ａを通過した第１の信号が入力される。そして、遅延処理部２２０は、乗算部２６０における第２の信号および第３の信号の処理に要する時間に応じた時間、入力された第１の信号を遅延させて、第１のアップコンバータ２４０に入力する。なお、遅延処理部２２０は、第４の信号が第４のフィルタ２１０ｄを通過した場合に生じる位相のずれに応じて、第１の信号の位相を調整するように構成されていてもよい。
【００５８】
第１のアップコンバータ２４０は、入力された供給信号を用いて、第１の信号の周波数をより高いＲＦ帯の周波数に変換する。そして、第１のアップコンバータ２４０は、第１の増幅部２５０に、変換後の第１の信号を入力する。
【００５９】
第１の増幅部２５０は、入力された第１の信号を所定の増幅率で増幅させて、アンテナ３１０に入力する。
【００６０】
アンテナ３１０に入力された第１の信号は電磁波に変換されて放射される。
【００６１】
なお、第１のアップコンバータ２４０と第２のアップコンバータ２７０とは、例えば、乗算器とフィルタとをそれぞれ備える。そして、当該乗算器に、例えば、供給信号が入力され、第１のアップコンバータ２４０において当該供給信号と第１の信号とが乗算されて、乗算結果の信号がフィルタに入力される。当該フィルタに入力された乗算結果の信号のうちより高い周波数の信号が当該フィルタを通過して第１の増幅部２５０に入力される。
【００６２】
また、第２のアップコンバータ２７０において、供給信号と第４の信号とが乗算されて、乗算結果の信号がフィルタに入力される。当該フィルタに入力された乗算結果の信号のうちより高い周波数の信号が当該フィルタを通過して第２の増幅部２８０に入力される。
【００６３】
次に、本発明の第１の実施形態の送信システムの動作について説明する。図４は、本発明の第１の実施形態の送信システムにおける送信制御部１００の動作を示すフローチャートである。
【００６４】
図４に示すように、送信制御部１００（具体的には、例えば、個別データ生成部１１０）は、データが入力された場合に、第１のＩＦＦＴ処理部１２０ａに入力するデータ（一方の系統のデータ）と、第２のＩＦＦＴ処理部１２０ｂに入力するデータ（他方の系統のデータ）とを生成する（ステップＳ１０１）。
【００６５】
第１のＩＦＦＴ処理部１２０ａは、入力されたデータに逆フーリエ変換の処理を施し、時間領域のデータ（信号を振幅の時間的変化によって示すデータ）に変換する（ステップＳ１０２ａ）。
【００６６】
第１の直交変調部１５０ａは、第１のＩＦＦＴ処理部１２０ａによって変換されたデータに直交変調の処理を施し、第１の信号を生成する（ステップＳ１０５ａ）。
【００６７】
第２のＩＦＦＴ処理部１２０ｂは、入力されたデータに逆フーリエ変換の処理を施し、時間領域のデータ（信号を振幅の時間的変化によって示すデータ）に変換する（ステップＳ１０２ｂ）。
【００６８】
パイロットデータ生成部１４０は、所定の周波数に応じたデータを生成する（ステップＳ１０３）。
【００６９】
合成部１３０は、第２のＩＦＦＴ処理部１２０ｂが変換したデータと、パイロットデータ生成部１４０が生成したデータとを互いに多重する（ステップＳ１０４）。
【００７０】
第２の直交変調部１５０ｂは、合成部１３０が入力したデータに基づいて、第２の信号と、第３の信号とを生成する（ステップＳ１０５ｂ）。
【００７１】
多重部１６０は、第１の直交変調部１５０ａが生成した第１の信号と、第２の直交変調部１５０ｂが生成した第２の信号および第３の信号とを互いに多重する（ステップＳ１０６）。
【００７２】
そして、多重部１６０は、第１の信号、第２の信号、および第３の信号が互いに多重された信号をケーブル３００を介して送信高周波部２００に送信する（ステップＳ１０７）。
【００７３】
送信高周波部２００の動作について説明する。図５は、本発明の第１の実施形態の送信システムにおける送信高周波部２００の動作を示すフローチャートである。
【００７４】
第１のフィルタ２１０ａ、第２のフィルタ２１０ｂ、および第３のフィルタ２１０ｃには、送信制御部１００の多重部１６０がステップＳ１０７の処理で送信した信号が、ケーブル３００を介して入力される。
【００７５】
第１のフィルタ２１０ａは、第１の信号を通過させる（ステップＳ２０１ａ）。第２のフィルタ２１０ｂは、第２の信号を通過させる（ステップＳ２０１ｂ）。第３のフィルタ２１０ｃは、第３の信号を通過させる（ステップＳ２０１ｃ）。
【００７６】
乗算部２６０は、第２の信号と第３の信号とを互いに乗算した結果の第４の信号と第５の信号とを生成する（ステップＳ２０２ｂ）。
【００７７】
第４のフィルタ２１０ｄは、第４の信号と第５の信号とのうち、周波数がより高い第４の信号のみを通過させる（ステップＳ２０３ｂ）。
【００７８】
第２の増幅部２８０は、第４の信号を所定の増幅率で増幅させて（ステップＳ２０４ｂ）、アンテナ３２０に入力する。アンテナ３２０に入力された第４の信号は電磁波に変換されて放射される。
【００７９】
遅延処理部２２０は、ステップＳ２０２ｂの処理に要する時間に応じた時間、入力された第１の信号を遅延させて（ステップＳ２０２ａ）、第１の増幅部２５０に入力する。なお、遅延処理部２２０は、ステップＳ２０２ｂの処理に要する時間に応じた時間に加えてステップＳ２０３ｂの処理に要する時間に応じた時間、入力された第１の信号を遅延させるように構成されていてもよい。
【００８０】
第１の増幅部２５０は、入力された第１の信号を所定の増幅率で増幅させて（ステップＳ２０４ａ）、アンテナ３１０に入力する。アンテナ３１０に入力された第１の信号は電磁波に変換されて放射される。放射された電磁波は、所定の送受信装置によって受信され、増幅等の処理が施される。そして、送信制御部１００に入力されたデータに応じたデータがテレビジョン受像機によってデコード可能なように、当該所定の送受信装置によって当該処理が施された電磁波が送出される。
【００８１】
本実施形態によれば、１系統のシリアルデータを入力された送信制御部１００が、１本のケーブル３００を介して、当該シリアルデータに基づき、互いに同期し、互いに周波数が異なる複数系統の信号を送信高周波部２００へ送信する。そして、送信高周波部２００は、互いに同期している複数系統の信号を互いに同じ周波数になるようにしてアンテナ３１０，３２０にそれぞれ入力する。すると、それら信号は、アンテナ３１０，３２０を介してそれぞれ放射される。
【００８２】
したがって、送信制御部１００が、１本のケーブル３００を介して、１系統のシリアルデータに基づく複数系統の信号を送信高周波部２００へ送信し、送信高周波部２００が、当該シリアルデータに基づき、互いに同期し、互いに同じ周波数になるようにされた信号をアンテナ３１０，３２０を介してそれぞれ放射することができる。
【００８３】
そして、アンテナ３１０によって放射された電波とアンテナ３２０によって放射された電波とが互いに同期しているので、それらにおける相互干渉を防ぐことができる。
【００８４】
実施形態２．
次に、本発明の第２の実施形態の送信システムについて説明する。図６は、本発明の第２の実施形態の送信システムの構成例を示すブロック図である。
【００８５】
図６に示すように、本発明の第２の実施形態の送信システムは、送信制御部１０２を含む点で、図１に示す本発明の第１の実施形態の送信システムと異なる。その他の構成要素は、図１に示す第１の実施形態における構成と同様なため、対応する要素には図１と同じ符号を付して説明を省略する。
【００８６】
図７は、第２の実施形態の送信システムにおける送信制御部１０２の構成例を示すブロック図である。図７に示すように、第２の実施形態の送信システムにおける送信制御部１０２は、パイロットデータ生成部（パイロット信号生成手段）１４２を含む点で、第１の実施形態における送信制御部１００の構成と異なる。その他の構成要素は、図２に示す第１の実施形態の送信システムにおける送信制御部１００の構成と同様なため、対応する要素には図２と同じ符号を付して説明を省略する。
【００８７】
パイロットデータ生成部１４２は、例えば、プログラム制御に従って処理を実行するＣＰＵや複数の回路によって実現される。
【００８８】
パイロットデータ生成部１４２は、所定の周波数の信号を生成する。なお、パイロットデータ生成部１４２によって生成された信号は、第１の実施形態における第３の信号に相当する。そして、パイロットデータ生成部１４２は、多重部１６０に、生成した信号を入力する。
【００８９】
したがって、第１の実施形態では、第２の直交変調部１５０ｂが第３の信号を生成しているのに対して、本実施形態では、パイロットデータ生成部１４２が第３の信号を生成する。
【００９０】
そして、多重部１６０は、パイロットデータ生成部１４２が入力した第３の信号を第１の信号および第２の信号と互いに多重し、ケーブル３００を介して送信高周波部２００へ送信する。
【００９１】
本実施形態によれば、パイロットデータ生成部１４２が第３の信号を生成する。そして、第１の信号、第２の信号および第３の信号は、互いに多重され、多重部１６０によってケーブル３００を介して送信高周波部２００へ送信される。
【００９２】
したがって、本実施形態によれば、第１の実施形態と同様な効果を奏することができる。
【００９３】
実施形態３．
次に、本発明の第３の実施形態の送信システムについて説明する。図８は、本発明の第３の実施形態の送信システムの構成例を示すブロック図である。
【００９４】
図８に示すように、本発明の第３の実施形態の送信システムは、送信高周波部２０３を含む点で、図１に示す本発明の第１の実施形態の送信システムと異なる。その他の構成要素は、図１に示す第１の実施形態における構成と同様なため、対応する要素には図１と同じ符号を付して説明を省略する。
【００９５】
図９は、第３の実施形態の送信システムにおける送信高周波部２０３の構成例を示すブロック図である。図９に示すように、第３の実施形態の送信システムにおける送信高周波部２０３は、対応信号発生部２６３を含む点で、第１の実施形態における送信高周波部２００の構成と異なる。その他の構成要素は、図３に示す第１の実施形態の送信システムにおける送信高周波部２００の構成と同様なため、対応する要素には図３と同じ符号を付して説明を省略する。
【００９６】
対応信号発生部２６３は、例えば、複数の回路によって実現される。
【００９７】
なお、以上に述べた各実施形態では、第２の信号の周波数の値と第３の信号の周波数の値との和が第１の信号の周波数の値と等しくなる関係が成立するように構成されているとして説明したが、本実施形態では、それらが互いに同期していればそのような関係が成立していなくてもよい。具体的には、本実施形態では、第１の信号の周波数が１３０ＭＨｚであり、第２の信号の周波数が５２ＭＨｚであり、第３の信号の周波数が１ＭＨｚであり、それら信号が互いに同期しているとする。
【００９８】
対応信号発生部２６３には、第３のフィルタ２１０ｃを通過した第３の信号が入力される。そして、対応信号発生部２６３は、入力された第３の信号に同期した第６の信号を生成する。ここで、第３の信号は第１の信号および第２の信号と同期しているので、第６の信号も第１の信号および第２の信号と同期していることになる。なお、第６の信号は、周波数が、第１の信号の周波数と第２の信号の周波数との差の値の絶対値であるとする。具体的には、本実施形態では、第１の信号の周波数が１３０ＭＨｚであり、第２の信号の周波数が５２ＭＨｚであるので、第６の信号の周波数は、｜１３０−５２｜＝７８ＭＨｚである。
【００９９】
対応信号発生部２６３は、乗算部２６０に、生成した第６の信号を入力する。
【０１００】
乗算部２６０は、入力された第６の信号と第２のフィルタ２１０ｂを通過した第２の信号とを互いに乗算した結果の第４の信号と第５の信号とを生成する。
【０１０１】
本実施形態によれば、対応信号発生部２６３が、送信高周波部２００によって生成された第１の信号や第２の信号と同期している第６の信号を生成する。そして、乗算部２６０が、当該第６の信号に基づいて、少なくとも第４の信号を生成する。
【０１０２】
したがって、本実施形態によれば、第１の実施形態と同様な効果を奏することができる。
【０１０３】
実施形態４．
次に、本発明の第４の実施形態の送信システムについて説明する。図１０は、本発明の第４の実施形態の送信システムの構成例を示すブロック図である。
【０１０４】
図１０に示すように、本発明の第４の実施形態の送信システムは、送信高周波部２０４を含む点で、図１に示す本発明の第１の実施形態の送信システムと異なる。その他の構成要素は、図１に示す第１の実施形態における構成と同様なため、対応する要素には図１と同じ符号を付して説明を省略する。
【０１０５】
図１１は、第４の実施形態の送信システムにおける送信高周波部２０４の構成例を示すブロック図である。図１１に示すように、第４の実施形態の送信システムにおける送信高周波部２０４は、第１のフィルタ２１０ａ、第２のフィルタ２１０ｂ、第３のフィルタ２１０ｃ、第１の所定信号発生部２３４ａ、第２の所定信号発生部２３４ｂ、第１のアップコンバータ２４４、第２のアップコンバータ２７４、第１の増幅部２５０、および第２の増幅部２８０を含む。
【０１０６】
第１の所定信号発生部２３４ａ、第２の所定信号発生部２３４ｂ、第１のアップコンバータ２４４、第２のアップコンバータ２７４、第１の増幅部２５０、および第２の増幅部２８０は、例えば、複数の回路によって実現される。
【０１０７】
第１の実施形態と同様に、第１のフィルタ２１０ａ、第２のフィルタ２１０ｂ、および第３のフィルタ２１０ｃには、送信制御部１００が送信した信号が入力される。
【０１０８】
第１の実施形態と同様に、第１のフィルタ２１０ａは、第１の信号のみが通過するように構成されている。第２のフィルタ２１０ｂは、第２の信号のみが通過するように構成されている。第３のフィルタ２１０ｃは、第３の信号のみが通過するように構成されている。
【０１０９】
第１のフィルタ２１０ａを通過した第１の信号は、第１のアップコンバータ２４４に入力される。第２のフィルタ２１０ｂを通過した第２の信号は、第２のアップコンバータ２７４に入力される。第３のフィルタ２１０ｃを通過した第３の信号は、第１の所定信号発生部２３４ａおよび第２の所定信号発生部２３４ｂに入力される。
【０１１０】
第１の所定信号発生部２３４ａは、入力された第３の信号に同期した第７の信号を生成する。そして、第１の所定信号発生部２３４ａは、第１のアップコンバータ２４４に、生成した第７の信号を入力する。なお、第７の信号は、周波数が、アンテナ３１０に入力されるＲＦ帯の信号の所定の周波数の値と、第１の信号の周波数の値との差の絶対値の値である。
【０１１１】
第１のアップコンバータ２４４は、入力された第７の信号を用いて、第１の信号の周波数をより高いＲＦ帯の周波数に変換する。そして、第１のアップコンバータ２４４は、第１の増幅部２５０に、変換後の第１の信号を入力する。第１の増幅部２５０は、入力された第１の信号を所定の増幅率で増幅させて、アンテナ３１０に入力する。
【０１１２】
第２の所定信号発生部２３４ｂは、入力された第３の信号に同期した第８の信号を生成する。そして、第２の所定信号発生部２３４ｂは、第２のアップコンバータ２７４に、生成した第８の信号を入力する。なお、第８の信号は、周波数が、アンテナ３２０に入力されるＲＦ帯の信号の所定の周波数の値と、第２の信号の周波数の値との差の絶対値の値であるように構成されている。
【０１１３】
第２のアップコンバータ２７４は、入力された第８の信号を用いて、第２の信号の周波数をより高いＲＦ帯の周波数に変換する。そして、第２のアップコンバータ２７４は、第２の増幅部２８０に、変換後の第２の信号を入力する。第２の増幅部２８０は、入力された第２の信号を所定の増幅率で増幅させて、アンテナ３２０に入力する。なお、アンテナ３２０に入力される第２の信号の周波数は、アンテナ３１０に入力される第１の信号の周波数と同じであるように設定されているとする。
【０１１４】
なお、第１のアップコンバータ２４４は、例えば、乗算器とフィルタとを備える。そして、当該乗算器に、例えば、第７の信号が入力され、第１のアップコンバータ２４４において当該第７の信号と第１の信号とが乗算されて、乗算結果の信号がフィルタに入力される。当該フィルタに入力された乗算結果の信号のうちより高い周波数の信号が当該フィルタを通過して第１の増幅部２５０に入力される。
【０１１５】
また、第２のアップコンバータ２７４は、例えば、乗算器とフィルタとを備える。そして、当該乗算器に、例えば、第８の信号が入力され、第２のアップコンバータ２７４において、第８の信号と第４の信号とが乗算されて、乗算結果の信号がフィルタに入力される。当該フィルタに入力された乗算結果の信号のうちより高い周波数の信号が当該フィルタを通過して第２の増幅部２８０に入力される。
【０１１６】
本実施形態によれば、送信高周波部２０４が、送信制御部１００から送信された信号に基づいて、互いに同期し、互いに同じ周波数になるようにされた信号をアンテナ３１０，３２０を介してそれぞれ放射することができる。
【０１１７】
したがって、本実施形態によれば、第１の実施形態と同様な効果を奏することができる。
【０１１８】
実施形態５．
次に、本発明の第５の実施形態の信号出力装置について、図面を参照して説明する。図１２は、本発明の第５の実施形態の信号出力装置１０の構成例を示すブロック図である。
【０１１９】
図１２に示すように、本発明の第５の実施形態の信号出力装置（例えば、第２の実施形態における送信制御部１０２に相当）１０は、信号生成部（信号生成手段）１５と、出力部（出力手段）１６と、パイロット信号生成部（パイロット信号生成手段）１４とを含む。
【０１２０】
信号生成部１５は、例えば、第２の実施形態における第１の直交変調部１５０ａ，第２の直交変調部１５０ｂに相当する。出力部１６は、例えば、第２の実施形態における多重部１６０に相当する。また、パイロット信号生成部１４は、例えば、第２の実施形態におけるパイロットデータ生成部１４２に相当する。
【０１２１】
信号生成部１５は、第１のデータに応じて第１の信号を生成し、第２のデータに応じて第１の信号とは周波数が異なる第２の信号を生成する。
【０１２２】
出力部１６は、第１の信号、第２の信号、および第２の信号の周波数を信号送信装置（例えば、第２の実施形態における送信高周波部２００に相当）において調整するための第３の信号を信号送信装置に出力する。
【０１２３】
パイロット信号生成部１４は、第３の信号を生成する。
【０１２４】
なお、第１の信号と第２の信号とは互いに同期している。
【０１２５】
そして、出力部１６は、第１の信号、第２の信号および第３の信号を互いに多重する。
【０１２６】
また、パイロット信号生成部１４は、第１の信号、および第２の信号と互いに同期するように、第３の信号を生成する。
【０１２７】
本実施形態によれば、パイロット信号生成部１４が、第１の信号、および第２の信号と互いに同期するように、第３の信号を生成する。また、信号生成部１５が、第１のデータに応じて第１の信号を生成し、第２のデータに応じて第１の信号とは周波数が異なる第２の信号を生成し、第３のデータに応じて第２の信号の周波数を信号送信装置において調整するための第３の信号を生成する。そして、出力部１６が、第１の信号、第２の信号、および第３の信号を信号送信装置に出力する。
【０１２８】
したがって、回路規模の増大を抑制しつつ、より少ないケーブルを介して信号出力装置１０と信号送信装置とを互いに接続することができる。
【０１２９】
なお、以上に述べた各実施形態に応じた各信号出力装置や、信号送信システム、信号出力方法、および信号出力用プログラムが活用されて、放送サービスが提供される。そして、そのような放送サービスには、例えば、地上波デジタル放送や、ＢＳ（Ｂｒｏａｄｃａｓｔｉｎｇ  Ｓａｔｅｌｌｉｔｅ）デジタル放送、ＣＳ（Ｃｏｍｍｕｎｉｃａｔｉｏｎ  Ｓａｔｅｌｌｉｔｅ）デジタル放送、高度狭帯域衛星デジタル放送、高度広帯域デジタル放送等が挙げられるが、これらに限られるものではなく、他の様々な放送サービスが含まれる。
【０１３０】
また、当該放送サービスは、日本の放送規格に基づき放送サービスを提供する放送局をはじめとする放送事業者によって提供される放送サービスに限られず、日本以外の放送規格に基づいて放送サービスを提供する放送事業者によっても提供され得る。また、当該放送サービスは、放送と通信とのように、互いに異なる複数の伝送路を介して伝送される次世代の放送サービスも含む。
【符号の説明】
【０１３１】
１０    信号出力装置
１４，１４０，１４２    パイロットデータ生成部
１５    信号生成部
１６    出力部
１００，１０２    送信制御部
１１０    個別データ生成部
１２０ａ    第１のＩＦＦＴ処理部
１２０ｂ    第２のＩＦＦＴ処理部
１３０    合成部
１５０ａ    第１の直交変調部
１５０ｂ    第２の直交変調部
１６０    多重部
２００，２０３    送信高周波部
２１０ａ    第１のフィルタ
２１０ｂ    第２のフィルタ
２１０ｃ    第３のフィルタ
２１０ｄ    第４のフィルタ
２２０    遅延処理部
２３０    供給信号発生部
２３４ａ    第１の所定信号発生部
２３４ｂ    第２の所定信号発生部
２４０，２４４    第１のアップコンバータ
２５０    第１の増幅部
２６０    乗算部
２６３    対応信号発生部
２７０，２７４    第２のアップコンバータ
２８０    第２の増幅部
３００    ケーブル
３１０，３２０    アンテナ
【図１】
2019110499.tif 000003
【図２】
2019110499.tif 000004
【図３】
2019110499.tif 000005
【図４】
2019110499.tif 000006
【図５】
2019110499.tif 000007
【図６】
2019110499.tif 000008
【図７】
2019110499.tif 000009
【図８】
2019110499.tif 000010
【図９】
2019110499.tif 000011
【図１０】
2019110499.tif 000012
【図１１】
2019110499.tif 000013
【図１２】
2019110499.tif 000014